【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
上部ケーシングと、
下部ケーシングと、
前記上部ケーシングと前記下部ケーシングとの間に係合されており、これによってリング軸受を形成するプラスチックリングと、
を備えているリング軸受であって、
前記上部ケーシングと前記下部ケーシングとが、それぞれ、これらの間に前記プラスチックリングを係合させる上部環状接面と下部環状接面とを画成しており、
前記上部接面と前記下部接面のそれぞれが、半径方向における内側の部分と半径方向における外側の部分とを有し、
前記上部接面と前記下部接面のそれぞれが、それらの前記内側部分と外側部分との間の方向において実質的に湾曲しており、
前記プラスチックリングが、それぞれ前記上部接面及び前記下部接面の前記内側部分と前記外側部分の間の中央に位置している上部スペーシング部分と下部スペーシング部分とを有し、これによって、前記プラスチックリングと前記上部接面及び前記下部接面との間に、前記リングの長手方向を向いているそれぞれの空間が画成されており、前記それぞれの空間によって前記それぞれの接面との接触摩擦が減少するようになっている、
リング軸受。
【請求項２】
前記プラスチックリングの前記上面若しくは前記下面、又はその両方における追加の溝又は凹部であって、前記上部ケーシング及び前記下部ケーシングの前記それぞれの接面との接触摩擦を更に減少させる、前記溝又は凹部、を更に備えている、請求項１に記載のリング軸受。
【請求項３】
前記リングの前記それぞれの接面が、前記ケーシングの前記接面よりも少なくとも部分的に小さい曲率半径を有する、請求項１に記載のリング軸受。
【請求項４】
前記リングの前記それぞれの接面が、前記ケーシングの前記接面と少なくとも部分的に同じ曲率半径を有する、請求項１に記載のリング軸受。
【請求項５】
前記ケーシング及び前記リングの前記それぞれの接面が、主として、これらの内側部分と外側部分とにおいて係合している、請求項１に記載のリング軸受。
【請求項６】
前記スペーシング部分が、前記対応する上部接面又は下部接面に面している、前記リングの平らな部分によって画成されている、請求項１に記載のリング軸受。
【請求項７】
前記スペーシング部分が、前記対応する上部接面又は下部接面に面している、前記リングに形成されている溝によって画成されている、請求項１に記載のリング軸受。
【請求項８】
前記上部接面と前記下部接面の一方が、前記リングに形成されている前記対応する溝の中に突き出している突起を有する、請求項７に記載のリング軸受。
【請求項９】
前記スペーシング部分が、前記対応する上部接面又は下部接面に面している、前記リングに形成されている凹部によって画成されている、請求項１に記載のリング軸受。
【請求項１０】
上部スプリングシートと、
スプリングと、
ストラットチューブと、
前記スプリングシート、前記スプリング、及び前記ストラットチューブを係合させるように配置されているリング軸受と、
を有するマクファーソンストラットであって、
前記リング軸受が、請求項１の前記リング軸受を備えている、
マクファーソンストラット。
【請求項１１】
前記プラスチックリングの前記上面若しくは前記下面、又はその両方における追加の溝又は凹部であって、前記上部ケーシング及び前記下部ケーシングの前記それぞれの接面との接触摩擦を更に減少させる前記溝又は凹部を更に備えている、請求項１０に記載のマクファーソンストラット。
【請求項１２】
前記リングの前記それぞれの接面が、前記ケーシングの前記接面よりも少なくとも部分的に小さい曲率半径を有する、請求項１０に記載のマクファーソンストラット。
【請求項１３】
前記リングの前記それぞれの接面が、前記ケーシングの前記接面と少なくとも部分的に同じ曲率半径を有する、請求項１０に記載のマクファーソンストラット。
【請求項１４】
前記ケーシング及び前記リングの前記それぞれの接面が、主として、これらの内側部分と外側部分とにおいて係合している、請求項１０に記載のマクファーソンストラット。
【請求項１５】
上部ケーシングと、
下部ケーシングと、
前記上部ケーシングと前記下部ケーシングとの間に係合されており、これによってリング軸受を形成している、プラスチックリングと、
を備えている、リング軸受であって、
前記上部ケーシングと前記下部ケーシングとが、それぞれ、これらの間に前記プラスチックリングを係合させる上部環状接面と下部環状接面とを画成しており、
前記上部接面と前記下部接面のそれぞれが、半径方向における内側の部分と半径方向における外側の部分とを有し、
前記リングが、半径方向における中央の部分から前記上部接面と前記下部接面との間の方向に比較的に広げられている、半径方向における外側の部分と半径方向における内側の部分とを有し、
前記プラスチックリングが、前記上部接面と前記下部接面の一方の前記内側部分と前記外側部分との間の中央に位置しているスペーシング部分を有し、これによって、前記プラスチックリングと前記上部接面及び前記下部接面の一方との間に、前記リングの長手方向を向いているそれぞれの空間が画成されており、前記それぞれの空間によって前記それぞれの接面との接触摩擦が減少するようになっている、
リング軸受。
【請求項１６】
前記スペーシング部分が、前記対応する上部接面又は下部接面に面している、前記リングの平らな部分によって画成されている、請求項１５に記載のリング軸受。
【請求項１７】
前記スペーシング部分が、前記対応する上部接面又は下部接面に面している、前記リングに形成されている溝によって画成されている、請求項１５に記載のリング軸受。
【請求項１８】
前記上部接面と前記下部接面の一方が、前記リングに形成されている前記対応する溝の中に突き出しているそれぞれの突起を有する、請求項１７に記載のリング軸受。
【請求項１９】
前記スペーシング部分が、前記対応する上部接面又は下部接面に面している、前記リングに形成されている凹部によって画成されている、請求項１５に記載のリング軸受。
【請求項２０】
前記リングが、断面において見たときにほぼ亜鈴形状である、請求項１５に記載のリング軸受。
【請求項２１】
前記プラスチックリングが、前記上部接面及び前記下部接面のうちの他方の前記内側部分と前記外側部分との間の中央に位置している別のスペーシング部分を有し、これによって、前記プラスチックリングと前記上部接面及び前記下部接面のうちの前記他方との間に、前記リングの長手方向を向いているそれぞれの空間が画成されており、前記それぞれの空間によって前記それぞれの接面との接触摩擦が減少するようになっている、請求項１５に記載のリング軸受。
【請求項２２】
前記上部接面及び前記下部接面のうちの前記他方が、前記接面と前記リングとの間の前記対応する空間の中に突き出しているそれぞれの突起を有する、請求項２１に記載のリング軸受。
【請求項２３】
上部スプリングシートと、
スプリングと、
ストラットチューブと、
前記スプリングシート、前記スプリング、及び前記ストラットチューブを係合させるように配置されているリング軸受と、
を有するマクファーソンストラットであって、
前記リング軸受が、請求項１５の前記リング軸受を備えている、
マクファーソンストラット。
【請求項２４】
上部ケーシングと、
下部ケーシングと、
前記上部ケーシングと前記下部ケーシングとの間に係合されており、これによってリング軸受を形成している、プラスチックリングと、
を備えている、リング軸受であって、
前記上部ケーシングと前記下部ケーシングとが、それぞれ、これらの間に前記プラスチックリングを係合させる上部環状接面と下部環状接面とを画成しており、
前記上部ケーシングの前記上部環状接面と前記下部ケーシングの前記下部環状接面のそれぞれが、半径方向における内側の部分と半径方向における外側の部分とを有し、
前記上部環状接面と前記下部環状接面のそれぞれの前記内側部分と前記外側部分とが、断面Ｖ字形状を画成する、それぞれの半径方向に延びる平面部分を有し、前記プラスチックリングが、対応する断面Ｖ字形状を有する、
リング軸受。
【請求項２５】
前記プラスチックリングが、それぞれ前記上部接面及び前記下部接面の前記内側部分と前記外側部分の間の中央に位置している上部スペーシング部分と下部スペーシング部分とを有し、これによって、前記プラスチックリングと前記上部接面及び前記下部接面との間に、前記リングの長手方向を向いているそれぞれの空間が画成されており、前記それぞれの空間によって前記それぞれの接面との接触摩擦が減少する、請求項２４に記載のリング軸受。
【請求項２６】
前記上部接面と前記下部接面とに形成された上部スペーシング部分と下部スペーシング部分とを更に備え、
前記上部スペーシング部分と前記下部スペーシング部分とが、前記リングに形成されている対応の前記スペーシング部分と対向している、請求項２５に記載のリング軸受。
【請求項２７】
前記上部接面と前記下部接面とが、それぞれ前記上部接面及び前記下部接面の前記内側部分と前記外側部分の間の中央に位置しているそれぞれの上部スペーシング部分と下部スペーシング部分とを有し、これによって、前記プラスチックリングと前記上部接面及び前記下部接面との間に、前記リングの長手方向を向いているそれぞれの空間が画成されており、前記それぞれの空間によって前記それぞれの接面との接触摩擦が減少するようになっている、請求項２４に記載のリング軸受。
【請求項２８】
上部スプリングシートと、
スプリングと、
ストラットチューブと、
前記スプリングシート、前記スプリング、及び前記ストラットチューブを係合させるように配置されているリング軸受と、
を有するマクファーソンストラットであって、
前記リング軸受が、請求項２４の前記リング軸受を備えている、マクファーソンストラット。
【請求項２９】
前記リングに縦方向に延びるよう形成された摩擦減少用の凹部を更に備え、
前記摩擦減少用の凹部が、前記上部接面と前記下部接面における前記内側部分と前記外側部分の対応のものと対向している、請求項２４に記載のリング軸受。
【請求項３０】
前記上部接面と前記下部接面における前記内側部分と前記外側部分のそれぞれと対向して、摩擦減少用の凹部が前記リングに縦方向に延びるよう形成されている、請求項２９に記載のリング軸受。
【手続補正２】
【補正対象書類名】明細書
【補正対象項目名】０００３
【補正方法】変更
【補正の内容】
【０００３】
[0002]図１に示したように、マクファーソンストラットアセンブリは、ストラットチューブ５と、ストラットチューブ５に溶接されている下部スプリングシート４とを有する。スプリング６は、スプリングシート４の上に直接配置されているか、スプリングシート４の上に配置されているゴムダンパーに着座させることができる。後者の場合、車輪から伝わる道路の振動が軽減する。スプリング６の上端部は、上部スプリングシート１によって保持されており、この上部スプリングシート１においても、ゴムの減衰材料３を利用することができる。軸受２は、上部スブリングシート１に収められており、上部シート１をストラットチューブ５と同心に維持している。上部シート１は、軸受２の内径に締まりばめによって取り付けられている。
【手続補正３】
【補正対象書類名】明細書
【補正対象項目名】００２０
【補正方法】変更
【補正の内容】
【００２０】
[0019]リングは、図１２、図１３、及び図１４における例に見られるように、その上面及び下面に長手方向溝を有することもでき、これによって、リング２０と上部ケーシング及び下部ケーシングとが出会う中央位置における接触が排除される。これにより、アセンブリの摩擦が減少する。
【手続補正４】
【補正対象書類名】明細書
【補正対象項目名】００２２
【補正方法】変更
【補正の内容】
【００２２】
[0021]プラスチックリングと上部ケーシング及び下部ケーシングの半径（すなわちＲ１，Ｒ２）は、必要な負荷能力に従って調整することができる。軸受の重量は、対をなす構成要素によって決まる嵌合径を維持しながら減少している。球の転がり動作が摺動動作に置き換えられており、摺動動作は、２つの相異なるプラスチック化学材料の間の動作とすることができる。保持される潤滑剤は、シール効果と、軸受の寿命にわたり継続する潤滑効果とを提供する。
【手続補正５】
【補正対象書類名】明細書
【補正対象項目名】００２４
【補正方法】変更
【補正の内容】
【００２４】
[0023]リングは、図１２、図１３、及び図１４における例に見られるように、リングが上部ケーシング及び下部ケーシングのアーチと出会う位置における接触を排除する目的で、その上面及び下面に長手方向中央溝を有することもできる。この特徴により、アセンブリの摩擦が小さく維持される。
【手続補正６】
【補正対象書類名】明細書
【補正対象項目名】００２８
【補正方法】変更
【補正の内容】
【００２８】
[0027]リング４０は、平らな上面及び下面も有し、リングの上面及び下面と、上部ケーシング及び下部ケーシングとの間に空間が残っている。また、リングは、図１２、図１３、及び図１４における例に見られるように、その上面及び下面に長手方向溝を有することもできる。これらの配置構成によって、リングが上部ケーシング及び下部ケーシングと出会う中央位置における接触が排除され、これにより、アセンブリの摩擦が小さく維持される。
【手続補正７】
【補正対象書類名】明細書
【補正対象項目名】００３２
【補正方法】変更
【補正の内容】
【００３２】
[0031]リングは、上部ケーシング８ａ及び下部ケーシング９ａの中央領域における接触の可能性を排除する目的で、その上面及び下面に長手方向溝５２，５４を有することもできる。これにより、アセンブリの摩擦が小さく維持される。